(57)【特許請求の範囲】
【請求項１】
燃料通路内に筒状の磁石を、筒部の軸線が燃料通路の軸方向へ同芯状をなすように配置し、この磁石の両極をなす軸線方向両端間の外周部と燃料通路の壁面との間に磁化能力のある組成からなるステンレスワイヤを配置し、このステンレスワイヤの一部が前記磁石の前記両極を結ぶとともに、このステンレスワイヤの他の一部を燃料通路の内壁面へ当接させることにより、磁石を燃料通路の壁面から離して支持したことを特徴とする燃料中の鉄分除去装置。
【請求項２】
前記燃料通路には、筒型のボディを有する別体フィルターを設け、この別体フィルターは、軸方向中間部に大径部を有し、軸方向両端の軸心部には、一方に流入口側連結部、他方に流出側連結部がそれぞれ突出形成され、
前記筒状の磁石はボディの内部にあって、
前記筒状の磁石の軸線方向にて、前記流入口側連結部及び流出側連結部が前記磁石を挟んで両側に配置され、かつ前記磁石の両軸端部と前記流入口側連結部及び流出側連結部の間には間隙があることを特徴とする請求項１に記載した燃料中の鉄分除去装置。
【請求項３】
記別体のフィルターは、軸方向両端側がテーパー状に絞られ、軸方向中間部が前記大径部、軸方向両端がテーパー部をなし、
前記ステンレスワイヤは、前記ボディの大径部と所定の距離をもってボディの軸方向へ略平行に延びる部分と、
前記テーパー部の内壁面へ当接する部分と、
この当接する部分から軸心方向へ折れ曲がって先端部にて前記磁石の軸端部と係合する径方向部を備え、
前記筒状の磁石が、前記ステンレスワイヤにより、前記ボディの軸心部へ、その内壁面から離れて支持されることを特徴とする請求項２に記載した燃料中の鉄分除去装置。
【発明の詳細な説明】
【０００１】
【発明の属する技術分野】
この発明は、例えば燃料タンクから気化器を結ぶ燃料の通路に設けられる燃料中の鉄分吸着装置に関する。
【０００２】
【従来の技術】
実開昭５８−１９８２０号にはストレーナカップの底部に磁石を埋め込み、その表面をストレーナカップ内の燃料へ臨ませた磁石により燃料の中の鉄分吸着を行えるようにした燃料コックが示されている。
【０００３】
【発明が解決しようとする課題】
ところで、上記構造では燃料中に磁石の一部しか出ていないので、磁石の燃料に対する接触面積が少なくなり、鉄分吸着の効率を上げにくい。
【０００４】
【課題を解決するための手段】
上記課題を解決するため、本願発明に係る燃料中の鉄分除去装置は、燃料通路内に筒状の磁石を、筒部の軸線が燃料通路の軸方向へ同芯状をなすように配置し、この磁石の両極をなす軸線方向両端間の外周部と燃料通路の壁面との間に磁化能力のある組成からなるステンレスワイヤを配置し、このステンレスワイヤの一部が前記磁石の前記両極を結ぶとともに、このステンレスワイヤの他の一部を燃料通路の内壁面へ当接させることにより、磁石を燃料通路の壁面から離して支持したことを特徴とする。
【０００５】
【発明の効果】
ステンレスワイヤの一部を燃料通路の壁面へ当接させることにより、磁石を燃料通路の壁面から離して燃料中に配置して保持したので、磁石の燃料に対する接触面積が増大し、燃料中の鉄分を効率的に吸着する。しかも、磁石の両極をステンレスワイヤで結ぶことにより、ステンレスワイヤは単なる磁石の支持部材ではなく、ステンレスワイヤ自体も磁化されて鉄分を吸着する。したがって、磁石とステンレスワイヤにより、燃料中の鉄分吸着効率を著しく向上させることができる。
【０００６】
【発明の実施の形態】
図面にもとづいて自動２輪車に適用された本願発明の一実施例を説明する。図１は第１実施例に係る別体フィルタの軸線方向断面図（図３の１−１線方向）、図２はこの別体フィルタを用いた燃料系の図、図３は図１の３−３線に沿う別体フィルタの横断面である。
【０００７】
まず、図２において、燃料タンク１はその底部に設けられた燃料コック２からホース３を介して別体フィルタ４へ接続し、ここで燃料中の鉄分除去が行われた後、ホース５を介して気化器６へ供給される。
【０００８】
燃料コック２のストレーナ７は、燃料タンク１の底板１ａ下面に設けられた差し込み部１ｂからタンク内部へ差し込まれており、その取入口にはフィルタ８が設けられて、予め燃料中のゴミを除去してから燃料を燃料コック２へ流入させるようになっている。
【０００９】
図１及び図３に明らかなように、別体フィルタ４は樹脂製で軸方向両端側がテーパー状に絞られた筒型のボディ１０を備え、軸方向中間部は大径部１１をなし、その軸方向両側はテーパー部１２になっている。また、軸方向両端の軸心部には、一方に流入口側連結部１３、他方に流出側連結部１４がそれぞれ突出形成されている。
【００１０】
ボディ１０の内部には、軸心部に筒状の磁石２０がその軸線を一致させて同芯状に配置され、その軸方向一端部がＳ極、他端部がＮ極をなしている。さらに、その周囲を複数のステンレスワイヤ３０がかご状をなして囲んでいる。
【００１１】
ステンレスワイヤ３０は磁石２０の外周部並びにボディ１０の内壁面１５のうち大径部１１部分と所定の距離をもってボディ１０の軸方向へ略平行に延び、テーパー部１２の内壁面１５へ当接すると屈曲部３１をなして軸心方向へ折れ曲がる径方向部３２をなし、その先端部は略コ字状に曲がった係合部３３をなし、磁石２０の軸端部２１に係合されている。
【００１２】
したがって、磁石２０はステンレスワイヤ３０によって、ボディ１０の軸心部へその内壁面１５から離れて支持される。またステンレスワイヤ３０自体もテーパー部１２に当接する屈曲部３１を除き、ボディ１０の内壁面と非接触になっている。
【００１３】
さらに、ステンレスワイヤ３０は磁石２０のＳ極とＮ極に接続するので、ステンレスワイヤ３０も磁化されている。なお、本願発明におけるステンレスワイヤ３０は磁化能力のある組成になっている。
【００１４】
次に、本実施例の作用を説明する。図１において、流入口側連結部１３側からボディ１０内へ流入した燃料は、磁石２０の軸穴２２及びその外周部並びにステンレスワイヤ３０と接触し、燃料中の鉄分が磁石２０及び磁化されたステンレスワイヤ３０に吸着除去された後、流出側連結部１４から流出する。
【００１５】
このとき、磁石は内壁面１５から離されているので、外周部表面及び軸穴２２に臨む内周部表面のほぼ全体が燃料と接触でき、鉄分吸着に有効な接触面積が著しく増大する。また、磁石２０を支持するステンレスワイヤ３０も磁化されて燃料と接触するため、鉄分吸着に寄与する磁力発生部分全体の接触面積がさらに増加する。
【００１６】
したがって、著しく増大された燃料との接触面積により燃料中の鉄分吸着が十分にかつ効率よく行われるようになる。しかも、ステンレスワイヤ３０が略かご形に磁石２０の周囲を囲むので、ボディ１０内の空隙率は十分に大きく保たれ、通過する燃料の流れをスムーズにできる。
【００１７】
このようにステンレスワイヤ３０は、磁石２０をボディ１０の内壁面１５から離して支持するという機能と、ステンレスワイヤ３０自体が磁化して鉄分を吸着除去する機能の両機能を発揮できる。
【００１８】
このとき、ステンレスワイヤ３０自体も、その屈曲部３１をテーパー部１２の内壁面１５へ当接させることにより、ボデイ１０の内部に大径部１１の内壁面１５から離して保持できる。また、腐食しにくいので耐久性のある支持部材にもなる。
【００１９】
図４は第２実施例であり、ステンレスワイヤを用いてメッシュ状の筒体４０として形成し、その内側に磁石２０を前実施例同様にボデイ１０の内壁面１５から離して保持したものである。
【００２０】
このようにすると、筒体４０が鉄分除去と同時にゴミを除去するフィルタとしても機能するので、図２に示したストレーナ７側のフィルタ８を省略することも可能となり、かつフィルタ８と設けた場合には、ゴミの除去率はさらに向上させることができる。
【００２１】
図５はさらに第３実施例であり、ボディ１０内を軸方向へ２分し、例えば、流入側に第１実施例の磁石２０及びステンレスワイヤ３０を軸方向で略半分にしたものにほぼ相当するように構成して入れ、流出側に公知のフィルタ５０を設ける。但し、ステンレスワイヤ３０のうちフィルタ５０近傍側は大径部１１の内壁面へ当接するための支持部３４を半径方向へ追加してある。
【００２２】
このようにすると、磁石２０及びステンレスワイヤ３０の吸着による鉄分除去と公知のフィルタ５０を利用したゴミの除去を同時に実現でき、かつフィルタ５０を随時交換可能にできる。なお、磁石２０及びステンレスワイヤ３０とフィルタ５０の位置関係を逆にしてもよい。
【００２３】
なお、本願発明は上記実施例に限定されず種々応用可能であり、例えば、ステンレスワイヤ３０は必ずしも大部分をボディ１０の内壁面１５から離しておかなければならないものでもなく、その大部分をボディ１０の内壁面１５へ接触させておくこともできる。このようにしても、磁石２０がボディ１０の軸心部に離れて配置されているので、比較的高い鉄分除去効率を期待でき、かつ磁石２０の支持をより安定させることができる。
【００２４】
さらに、ステンレスワイヤ３０による磁石２０の支持構造並びにボデイ１０の内壁面１５に対する当接構造は任意に変形できる。
【図面の簡単な説明】
【図１】別体フィルタの軸方向断面図
【図２】実施例が適用された燃料系の概略図
【図３】図１の３−３断面図
【図４】第２実施例に係る図３相当部断面図
【図５】第３実施例に係る図１相当部断面図
【符号の説明】
燃料タンク１、燃料コック２、別体フィルタ４、ボディ１０、磁石２０、ステンレスワイヤ３０
【図１】
0003996260.tif 000002
【図２】
0003996260.tif 000003
【図３】
0003996260.tif 000004
【図４】
0003996260.tif 000005
【図５】
0003996260.tif 000006